(57)【要約】【課題】  熱交換器から滴下する凝縮水が、送風の影響により本体外に飛散しようとしても、凝縮水を漏れなく回収することのできるダクト型空気調和機を提供することを目的とする。【解決手段】  熱交換器室１１に配置された露受皿１７の吹出口７側の端部１７ｅは、吹出ダクト接続具８の枠体を構成する空間内に配置され、更に、先端部１７ｅは、第一段差部１７ｆと、同第一段差部１７ｆから突出した第二段差部１７ｇにより、枠体を構成する空間内で上方に延設されている。これにより、熱交換器１６から滴下する凝縮水を露受皿１７に漏れなく回収することができるようになっている。【選択図】図４
2011208847.tif 000002
【特許請求の範囲】
【請求項１】
吸込口と吹出口とを備えた本体内を、仕切板により送風ファンを収納した送風機室と、熱交換器と露受皿とを収納した熱交換器室とに区画し、前記吹出口に、吹出ダクトを接続する枠体状に形成された吹出ダクト接続部を設けてなるダクト型空気調和機において、
前記露受皿の吹出口側の一部を、前記吹出ダクト接続部の枠体内空間に配置させたことを特徴とするダクト型空気調和機。
【請求項２】
前記露受皿の一部は、更に、前記枠体内空間で、上方に向けて延設されてなることを特徴とする請求項１に記載のダクト型空気調和機。
【発明の詳細な説明】
【技術分野】
【０００１】
本発明は、ダクト型空気調和機に関わり、より詳細には露受皿の構成に関するものである。
【背景技術】
【０００２】
建屋の天井空間内に設置され、熱交換器およびファンを収容して構成された本体に、吹出ダクトを接続したダクト型空気調和機が知られている。本体内は仕切板により送風機室と熱交換器室とに区画され、送風機室には複数の送風ファンと、同送風ファンを駆動するファンモータとが配設され、熱交換器室には、熱交換器と、同熱交換器から滴下する凝縮水を貯留する露受皿とが配設されている。
【０００３】
例えば、従来のダクト型空気調和機３０は、図５で示すように，吸込口３１と吹出口３２とを備えた本体内を仕切板３３により送風機室３５と、熱交換器室３４とに区画し、送風機室３５に送風ファン３６を配設し、熱交換器室３４に熱交換器３７と露受皿３８とを配設している。
【０００４】
吸込口３１から吸込まれた空気は、送風ファン３６により熱交換器室３４に送出され、熱交換器３７を通過することにより冷媒と熱交換され、図示しない吹出ダクトが接続された吹出口３２から室内に送出されるようになっている。また、熱交換器３７の表面に凝縮した凝縮水は露受皿３８に滴下するようになっている。
【０００５】
近年、建屋の天井空間内が狭くてもダクト型空気調和機が設置できるように本体の小型化が図られる一方、熱交換能力の向上が求められ熱交換器の大型化が図られている。上記したダクト型空気調和機３０においても本体を小型化し、熱交換器３７を大型化すると、熱交換器３７端部と吹出口３２とが接近し、熱交換器３７から滴下する凝縮水が送風の影響を受けて、本体の外部に飛散し、飛散した凝縮水は図示しない吹出ダクトを介して室内に滴下する、所謂、露飛び現象を生じる不具合があった。
【０００６】
他の従来例として、例えば図６に示す空気調和機４０は、本体４１内をファン天板４２（仕切板）で区画し、送風機室４３と熱交換器室４４とを設けている。送風機室４３の下面には図示しない吸込口が形成され、また、送風ファン４５が設けられている。熱交換器室４４には、熱交換器４６と、同熱交換器４６から滴下する凝縮水を受ける露受皿４７が設けられ、熱交換器４４に臨む吹出口４８には、吹出空気を偏向する上下風向板４８と左右風向板４９とが設けられている（特許文献１参照）。
【０００７】
露受皿４７の後面には、ファン天板４２と係合する係合部５１が設けられ、前面には、左右風向板４９の基台と連結される固定部５２が設けられており、これにより露受皿４７の本体４１への着脱が容易となっている。
【０００８】
露受皿４７の前面側は、上記したように、左右風向板４９の基台と連結される固定部５２を設けるため、ファン天板４２に接する後端部から吹出口４８に位置する先端部までＡ寸法で形成されているが、熱交換器４６から滴下する凝縮水を受ける受け部４７ａはファン天板４２からＢ寸法の範囲までしか形成されていない。露受皿４７は断熱材で構成されているため、結露を防止することはできるが、凝縮水の受け部４７ａが、熱交換器４６の先端部に届かないＢ寸法の範囲までしか形成されていないことにより、熱交換器４６から滴下する凝縮水を漏れなく回収することはできなかった。
【先行技術文献】
【特許文献】
【０００９】
【特許文献１】特開平８−９４１１４号（４頁、図２）
【発明の概要】
【発明が解決しようとする課題】
【００１０】
本発明は、上記問題点に鑑み、熱交換器から滴下する凝縮水が、送風の影響により本体外に飛散しようとしても、飛散する凝縮水を漏れなく回収することのできるダクト型空気調和機を提供することを目的とする。
【課題を解決するための手段】
【００１１】
本発明は、上記課題を解決するため、吸込口と吹出口とを備えた本体内を、仕切板により送風ファンを収納した送風機室と、熱交換器と露受皿とを収納した熱交換器室とに区画し、前記吹出口に、吹出ダクトを接続する枠体状に形成された吹出ダクト接続部を設けてなるダクト型空気調和機において、前記露受皿の吹出口側の一部を、前記吹出ダクト接続部の枠体内空間に配置させた構成となっている。
【００１２】
また、前記露受皿の一部は、更に、前記枠体内空間で、上方に向けて延設されてなる構成となっている。
【発明の効果】
【００１３】
請求項１の発明によれば、熱交換器の端部から滴下する凝縮水は、送風に影響されて本体外に飛散しようとするが、露受皿の端部が、吹出ダクト接続部の枠体を構成する枠体空間内に配置させたことにより、熱交換器から滴下し、送風に流される凝縮水を露受皿に回収することができるようになっている。
【００１４】
請求項２の発明によれば、露受皿の端部は、更に枠体内空間で上方に向けて延設されたことにより、より、凝縮水の回収が確実に行えるとともに、露受皿の先端部を吹出ダクト接続部を越えて配置させる必要がない。
【図面の簡単な説明】
【００１５】
【図１】本発明によるダクト型空気調和機の外観斜視図である。
【図２】本発明によるダクト型空気調和機の内部斜視図である。
【図３】本発明によるダクト型空気調和機の断面図である。
【図４】図３の要部拡大図である。
【図５】従来のダクト型空気調和機の断面図である。
【図６】従来のダクト型空気調和機の断面図である。
【発明を実施するための形態】
【００１６】
以下、本発明の実施の形態を、添付図面に基づいた実施例として詳細に説明する。
【実施例１】
【００１７】
本発明によるダクト型空気調和機は、図１の外観斜視図で示すように、天板５と、右側パネル３及び左側パネル４と、底面に被着される底板２とで本体１を構成し、同本体１の後面に、フィルタ６ａを装着した吸込部６を設け、前面に、吹出ダクトが接続される吹出口７を設けている。
【００１８】
本体１後面の、吸込部６から吸込まれた空気は、後述する熱交換器１６により冷媒と熱交換されて、吹出口７に接続された、図示しない吹出ダクトにより室内に送出されるようになっている。また、右側パネル３、左側パネル４及び天板５の内側あるいは外側表面には、これらの表面に結露が発生することを防止する断熱材が貼着されており、右側パネル３からは、熱交換器１６に接続される冷媒入出力管９が導出され、また、後述する露受皿１７に接続されたドレンポンプ用排出管２０と、本体１の縦置時用排出管２１が導出されている。また、本体１の吸込口６側一側には、制御基板を収納した電装品箱１９が装着されている。
【００１９】
右側パネル３の上部にはＬ字状に形成された吊金具３ａが取付けられ、同様に、左側パネル４の上部には吊金具４ａが取付けられており、これら吊金具３ａ及び吊金具４ａは、図示しない建屋の天井から垂下された吊りボルトに固定されて、本体１は建屋の天井と室内の天井面との間に横置状態で吊り下げ設置されるようになっている。
【００２０】
本体１内は、図２の斜視図及び図３の断面図で示すように、仕切板１０により前後に区画され、区画された一方の吸込部６側には送風機室１２が設けられ、区画された他方の吸込口７側には熱交換器室１１が設けられており、また、本体１の吹出口７には、吹出ダクト接続部８が装着されている。同吹出ダクト接続部８は、図３で示すように、断面Ｌ字状に形成された鋼材からなる上部フランジ８ａ及び下部フランジ８ｂと、図示はしていないが、右側フランジ８ｃと左側フランジ８ｄとからなり、これらを枠体状に組み合わせて構成されている。また、吹出ダクト接続部８は前後方向に所定の幅Ａで形成され、枠体は本体１の吹出口７を設けた前面より小さくなるように形成されており、上部フランジ８ａ、下部フランジ８ｂ、右側フランジ８ｃ及び左側フランジ８ｄには、図示はしていないが、吹出ダクトを接続するための複数の螺子孔が穿設されている。同螺子孔により、図示しない吹出ダクトの一端が枠体状に形成された吹出ダクト接続部８に接続され、吹出ダクトの他端は室内の天井面に開口して設置されることにより、吹出口７から送出された冷暖空気は吹出ダクトを介して室内に吹出されるようになっている。
【００２１】
送風機室１２には、図２の要部分解斜視図で示すように、送風ファン１３が本体１の幅方向に複数台設けられている。同送風ファン１３は、吸込口１４ａを両側に備え、吹出部１４ｂの先端部に吹出口１４ｃを開口したケーシング１４と、同ケーシング１４内に回転自在に収納され、吸込口１４ａの両側に回転軸を突出させた回転ブレード１５とからなり、ケーシング１４の吹出部１４ｂは仕切板１０に固定されるようになっている。
【００２２】
尚、送風ファン１３はシロッコファンであり、ケーシング１４の両側の吸込口１４ａから吸入した空気を、ブレードを周上に配設した回転ブレード１５の回転により吹出部１４ｂの吹出口１４ｃから熱交換器室１１に送出するようになっている。
【００２３】
送風ファン１３の間には、夫々の送風ファン１３の回転ブレード１５を回転駆動させる、両側に回転軸を突出させたファンモータ１８が設けられている。同ファンモータ１８の回転軸は、両側に位置する送風ファン１３の回転軸に連結される一方、送風ファン１３の回転軸は図示しない連結部材を介して夫々連結されており、これにより、複数の送風ファン１３がファンモータ１８により駆動されるようになっている。
【００２４】
熱交換器室１１には、吹出口７から仕切板１０に向かって下方に傾斜した熱交換器１６が設けられている。同熱交換器１６は、並列した多数のフィンと、同フィンに直交するように蛇行状に配設された伝熱管とからなり、同伝熱管は上記した冷媒入出力管９を介して接続される冷媒配管により図示しない室外機に接続されるようになっている。また、熱交換器室１１の底面には、熱交換器１６のフィン表面で凝縮した凝縮水を受ける露受皿１７が設けられている。同露受皿１７は、本体１が横置状態で設置された際、熱交換器１６から滴下する凝縮水を受ける底面１７ｃを有した主底面部１７ａと、本体１が縦置状態で設置された際、熱交換器１６から滴下する凝縮水を受ける底面１７ｄを有した副底面部１７ｂとからなる断面Ｌ字状に形成されている。同露受皿１７には、上記したドレンポンプ用排出管２０と、縦置時用排出管２１とが接続されており、本体１の横置設置時には、主底面部１７ａに貯留された凝縮水は、図示しないドレンポンプにより、ドレンポンプ用排出管２０を介して外部に排出され、本体１の縦置設置時には、副底面部１７ｂに貯留された凝縮水は、縦置時用排出管２１を介して外部に排出されるようになっている。
【００２５】
上記した露受皿１７の吹出口７側の先端部１７ｅは、図４の要部拡大図で示すように、上部フランジ８ａ、下部フランジ８ｂ、右側フランジ８ｃ及び左側フランジ８ｄからなる枠体で構成された吹出ダクト接続部８の、網掛部で示す枠体内空間８ｅ内に位置するように形成されており、更に、先端部１７ｅは、枠体内空間８ｅ内で、第一段差部１７ｆと、同第一段差部１７ｆから突出した第二段差部１７ｇにより上方に向け延設されている。
【００２６】
次に、露受皿１７の、枠体内空間８ｅ内に配置された先端部１７ｅの効果について説明する。熱交換器１６から露受皿１７に滴下する凝縮水は、矢印で示す熱交換器１６を通過した送風の影響により吹出口７側に押し流され、更に、熱交換器１６の吹出口７側端部から滴下する凝縮水は、送風に流されて本体１の外部に飛散する虞がある。外部に飛散した凝縮水は、図示しない吹出ダクトを介して、同吹出ダクトの室内に開放された吹出口から、室内に滴下する、所謂、露飛び現象を生じる。
【００２７】
しかしながら、露受皿１７の先端部１７ｅが、枠体内空間８ｅ内に位置するように形成されていることにより、熱交換器１６の吹出口７側端部から滴下する凝縮水が送風に流されても、滴下する凝縮水は、露受皿１７の先端部１７ｅにより、本体１の外部に飛散することなく露受皿１７に回収されるようになっている。
【００２８】
また、露受皿１７の先端部１７ｅが、枠体内空間８ｅ内で、第一段差部１７ｆと、同第一段差部１７ｆから突出した第二段差部１７ｇにより上方に向け延設されていることにより、本体１に外部に向け飛散しようとする凝縮水を、より確実に回収することができるようになっている。仮に先端部１７ｅを上方に向け延設しないと、先端部１７は更に吹出ダクト接続部８を越えて前方に位置させる必要が生じ、吹出ダクト接続部８外にはみ出すことになるが、その場合、先端部１７が本体１の輸送時等において破損する虞がある。しかしながら、上方に向け延設することにより、凝縮水をより確実に回収できるとともに、破損等の不具合発生を防止できるようになっている。
【００２９】
また、吹出口７の吹出ダクト接続部８には、図示しない吹出ダクトの一端が接続されることにより、露受皿１７の先端部１７ｅが枠体内空間８ｅ内に位置しても、先端部１７ｅは使用者に視認されることはなく、美観を損ねる虞はない。これにより先端部１７ｅを枠体内空間８ｅ内に位置させることが可能となっている。
【００３０】
上記した露受皿１７の先端部１７ｅの効果により、本体を小型化する一方、熱交換能力を向上させるように熱交換器を大型化しても、凝縮水が本体外に漏洩し室内に滴下するような、所謂、露飛び現象のような不具合を防止することのできるダクト型空気調和機となっている。
【符号の説明】
【００３１】
１  本体
２  底板
３  右側パネル
３ａ  吊金具
４  左側パネル
４ａ  吊金具
５  天板
６  吸込部
６ａ  フィルタ
７  吹出口
８  吹出ダクト接続部
８ａ  上部フランジ
８ｂ  下部フランジ
８ｃ  右側フランジ
８ｄ  左側フランジ
８ｅ  枠体内空間
９  冷媒入出力管
１０  仕切板
１１  熱交換器室
１２  送風機室
１３  送風ファン
１４  ケーシング
１４ａ  吸込口
１４ｂ  吹出部
１４ｃ  吹出口
１５  回転ブレード
１６  熱交換器
１７  露受皿
１７ａ  主底面部
１７ｂ  副底面部
１７ｃ  底面
１７ｄ  底面
１７ｅ  先端部
１７ｆ  第一段差部
１７ｇ  第二段差部
１８  ファンモータ
１９  電装品箱
２０  ドレンポンプ用排出管
２１  縦置時用排出管
【図１】
2011208847.tif 000003
【図２】
2011208847.tif 000004
【図３】
2011208847.tif 000005
【図４】
2011208847.tif 000006
【図５】
2011208847.tif 000007
【図６】
2011208847.tif 000008